(57)【要約】【課題】装飾片を基板に固定しても見栄えがよく、肌に貼り付けた際のフィット感を維持したうえで、何度でも使用可能な装飾具の提供。【解決手段】装飾具１は、粘着力を有したゲル状の材料から形成された基板１３と、基板１３の付着面に固定され、この装飾具１が貼り付けられる人体を装飾する装飾片１１とからなる。装飾片１１は、ラインストーン等の模造宝石（以下、ストーンとする）１１ａと、光を反射し人体を装飾するための反射用の小片（以下、グリッターとする）１１ｂ、ｃとからなり、これらはゲル状の基板１３の粘着力のみによって基板１３に固定される。そして、基板１３は、高分子ハイドロゲルのシートからなり、ここでは、蝶の形状に切り出され、その付着面には、デザインによって決められた位置にストーン１１ａ及びグリッター１１ｂ、ｃが固定される。【選択図】図１
0003118673.tif 000002
【実用新案登録請求の範囲】
【請求項１】
対象物に貼り付けて使用する装飾具であって、
前記対象物を装飾する一ないし複数の装飾片と、
一方の面が前記装飾片を付着させる付着面、他方の面が前記対象物に貼着される貼着面として使用され、前記付着面に前記装飾片が付着し、且つ、前記貼着面が前記対象物に貼着された状態を保持するのに必要な粘着力を有したゲル状の材料からなる基板と、
からなることを特徴とする装飾具。
【請求項２】
前記対象物は、人体であることを特徴とする請求項１に記載の装飾具。
【請求項３】
前記基板を形成するゲル状の材料とは、少なくとも水と多価アルコールとを含む高分子ハイドロゲルであることを特徴とする請求項１または請求項２に記載の装飾具。
【請求項４】
前記装飾片は、装飾用宝石または反射材または装飾用布であることを特徴とする請求項１ないし請求項３のいずれかに記載の装飾具。
【考案の詳細な説明】
【技術分野】
【０００１】
本考案は、一ないし複数の装飾片を基板に固定した装飾具に関する。
【背景技術】
【０００２】
従来より、ピアス、ネックレス、指輪などのように人の体に身につける装飾具のみならず、新しいファッションスタイルとして人の素肌に貼り付ける装飾具（以下、人体用装飾具とする）の販売等が行われている。
【０００３】
この種の人体用装飾具は、合成樹脂製の基板と、基板の一方の面に接着されるラインストーン等の装飾片と、基板の他方の面に取り付けられ基板を人の素肌に貼り付けるための粘着力を有したシール素材とからなり、装飾片は接着剤（粘着力を有した薄膜を含む）を用いて基板に固定されている（例えば、特許文献１参照）。
【特許文献１】特開２００５−７４７８４号公報
【考案の開示】
【考案が解決しようとする課題】
【０００４】
ところで、このような人体用装飾具では、シール素材の粘着剤としてアクリル系粘着剤が用いられている。この粘着剤は、貼ったり剥がしたりを繰り返すと粘着力が低下してしまい、半永久的に繰り返し使用することができないという問題があった。
【０００５】
また、接着剤を用いて装飾片を基板に固定すると、接着剤によって基板が汚れ見栄えが悪くなることや、接着剤の硬化によって基板の柔軟性が低下するため、人体用装飾具を肌に貼り付けた際のフィット感が低下することなどの問題があった。
【０００６】
そこで、本考案は、装飾片を基板に固定しても見栄えがよく、肌に貼り付けた際のフィット感を維持したうえで、何度でも使用可能な装飾具の提供を目的とする。
【課題を解決するための手段】
【０００７】
上記目的を達成するためになされた請求項１に記載の装飾具は、対象物に貼り付けて使用する装飾具であって、前記対象物を装飾する一ないし複数の装飾片と、一方の面が前記装飾片を付着させる付着面、他方の面が前記対象物に貼着される貼着面として使用され、前記付着面に前記装飾片が付着し、且つ、前記貼着面が前記対象物に貼着された状態を保持するのに必要な粘着力を有したゲル状の材料からなる基板と、からなることを特徴する。
【０００８】
このように構成された本考案の装飾具では、ゲル状の材料の持つ粘着力により装飾片の固定と対象物への貼着を行っているため、接着剤を用いて装飾片を基板に固定していた場合と異なり、基板を汚し見栄えを悪化させることなく装飾片を固定できる。
【０００９】
さらには、ゲル状の材料からなる基板であるうえ、接着剤の硬化により基板の柔軟性が損なわれることが無いため、柔軟性を保ったまま対象物に密着した状態で貼着することができる。つまり、ゲル状の材料からなる基板であることから、対象物の湾曲した位置にも貼着することができる。
【００１０】
そして、埃などの汚れが貼着面に付着しその粘着力が低下しても、汚れを水洗いやアルコールで拭き取ることにより、貼着面の粘着力を保つことができ、装飾具を繰り返し対象物に貼り付けることができる。
【００１１】
また、請求項２に記載の考案は、請求項１に記載の装飾具において、前記対象物は、人体であることを特徴とする。
このように対象物を人体（例えば、人の素肌など）とすることで、装飾具を身につける人がより多くのファッションスタイルを楽しむことができる。
【００１２】
また、請求項３に記載の考案は、請求項１または請求項２に記載の装飾具において、前記基板を形成するゲル状の材料とは、少なくとも水と多価アルコールとを含む高分子ハイドロゲルであることを特徴とする。
【００１３】
このような高分子ハイドロゲルの中でも水と多価アルコール（保湿剤として用いられることが多い）とを含むものは、主として医療用、美容用に用いられていることからもわかるように、これらの用途に用いられる高分子ハイドロゲルを基板の材料として使用すれば、装飾具を人体（即ち、人の素肌）に貼着してもかぶれたりすることが無い。
【００１４】
また、請求項４に記載の考案は、請求項１ないし請求項２のいずれかに記載の装飾具において、前記装飾片は、装飾用宝石または反射材または装飾用布であることを特徴とする。
【００１５】
このように、装飾片を様々なものから選択し、組み合わせることで、より多くのデザインの装飾具を生み出すことができる。
【考案を実施するための最良の形態】
【００１６】
以下、本考案の実施形態について図面と共に説明する。
図１は、人体等に貼り付けて使用する装飾具１の上面図であり、図２は、図１に示す装飾具１のＡ−Ａ断面図である。
【００１７】
装飾具１は、粘着力を有したゲル状の材料から形成された基板１３と、基板１３の一方の面（以下、付着面とする）に固定され、この装飾具１が貼り付けられる対象物（即ち、人体、以下、対象物に貼り付けられる面を貼着面とする）を装飾する装飾片１１とからなる。
【００１８】
装飾片１１は、ラインストーン等の模造宝石（以下、ストーンとする）１１ａと、光を反射し人体を装飾するための反射用の小片（以下、グリッターとする）１１ｂ、ｃとからなり、これらはゲル状の基板１３の粘着力によって基板１３に固定される。
【００１９】
なお、グリッター１１ｂ、ｃの大きさは、ストーン１１ａの大きさに比べ小さなものである。さらに、グリッター１１ｂとグリッター１１ｃとでは、光を反射した際の光沢や色などが異なるものである。
【００２０】
そして、基板１３は、高分子ハイドロゲルのシートからなり、ここでは、蝶の形状に切り出され、その付着面には、デザインによって決められた位置にストーン１１ａ及びグリッター１１ｂ、ｃが固定される。
【００２１】
なお、この基板１３を形成する高分子のハイドロゲルは、水と多価アルコールを含むものであり、主として医療や美容の分野において使用されるものであり、基板１３に固定された装飾片１１及び人の素肌に貼り付けられた基板１３自体を人が意識的に引き剥がさない限り、剥がれない程度の粘着力を有するものである。
【００２２】
つまり、この装飾具１の基板１３を形成する高分子ハイドロゲルのシートは、付着面においてストーン１１ａ及びグリッター１１ｂ、ｃを固定し、かつ、貼着面において人の素肌に貼り付けられ、その状態を保持する。
【００２３】
次に、この装飾具１の製造方法について説明する。
まず、基板１３を予め決められたデザインの形状（即ち、本実施形態では蝶の形状）に切り抜き、デザインによって決められた付着面の位置に装飾片１１を固定する。
【００２４】
このとき、まず、ストーン１１ａから先に基板１３に固定し、その後グリッター１１ｂ、ｃを固定する。これは、グリッター１１ｂ、ｃをストーン１１ａより先に固定した場合、ストーン１１ａと基板１３との間にグリッター１１ｂ、ｃが入り込んでしまうことにより、ストーン１１ａと基板１３とが接触する面積が低下し、その粘着力が弱くなってしまうためである。
【００２５】
さらに、デザインによって決められた付着面の位置にグリッター１１ｂ、１１ｃを固定し、予め決められたデザインとなるように基板１３を装飾する。
その後、基板１３の貼着面と付着面に固定されたストーン１１ａ及びグリッター１１ｂ、１１ｃとを挟み込んで加圧する。これにより、基板１３に固定されたストーン１１ａ及びグリッター１１ｂ、１１ｃが確実に固定される。
【００２６】
そして、基板１３の切り出された側面をネイルなどのコート剤によりコーティングする。これにより、そのデザインされた蝶の形状から形が崩れることを防止する。
以上、説明したように、装飾具１によれば、粘着力を有したゲル状の材料を基板１３として用いるため、接着剤を用いることなくストーン１１ａ及びグリッター１１ｂ、１１ｃを基板１３に固定することができる。したがって、接着剤の使用によって基板１３が汚れることがないため、装飾具１の見栄えを保つことができるうえに、接着剤の使用によって基板１３が硬化することがないため、基板１３の柔軟性を維持することができる。
【００２７】
さらには、粘着力を有したゲル状の材料からなる基板１３であるうえ、基板１３の柔軟性が損なわれることが無いため、柔軟性を保ったまま対象物に密着した状態で貼着することができる。したがって、装飾具１を人の肩や胸元のような湾曲した部位にも貼着することができる。
【００２８】
また、装飾具１によれば、基板１３を形成する材料として医療用、美容用に用いられる高分子ハイドロゲルを使用しており、貼着面に埃などの汚れが付着しても貼着面を水やアルコールなどで拭き取れば、その粘着力は維持されるため、装飾具１を繰り替えし使用することが可能である。
【００２９】
さらに、基板１３を形成する材料として医療、美容の分野に用いられる高分子ハイドロゲルを使用するため、装飾具１が貼り付けられる肌に優しく、肌がかぶれたりする可能性が低い。
【００３０】
以上、本考案の実施形態について説明したが、本考案は上記実施形態に限定されるものではなく、本考案の要旨を逸脱しない範囲において様々な態様にて実施することが可能である。
【００３１】
例えば、本実施形態では、基板１３にストーン１１ａ及びグリッター１１ｂ、１１ｃを固定したが、基板１３の付着面には、装飾用に加工された布やブリザーブドフラワー、またはクレイ等を貼り付けたものや付着面に彩色を施したもの、及びそれらを組み合わせものでもよい。また、エアブラシでグリッター１１ｂ、ｃを吹き付けたり、模様の印刷されたフィルムを付着面に貼り付けることにより、基板１３を装飾してもよい。即ち、基板１３が粘着性を維持した上で、装飾具１のデザインが映えるものであればよい。
【００３２】
また、本実施形態では、基板１３を形成する材料として医療、美容の分野に用いられる高分子ハイドロゲルを用いたが、これに限られるものではない。つまり、基板１３は、基板１３に固定された装飾片１１及び人の素肌に貼り付けられた基板１３自体を人が意識的に引き剥がさない限り、剥がれない程度の粘着力を有するゲル状の材料からなるものであればよい。ただし、人体の素肌に貼り付けて使用することを考慮すると、基板１３は、肌がかぶれる可能性の低い材料からなることが望ましい。
【００３３】
具体的には、例えば、基板１３を形成する材料として、シリコンを含有するゲル状の材料（いわゆる、シリコーンゲル）を用いてもよい。
また、装飾具１の製造方法は、本実施形態に記載した方法に限定されるものではない。
【００３４】
具体的には、例えば、以下の手順により製造してもよい。
即ち、グリッター１１ｂ、ｃを混入した塗料を用いて、デザインで決められた模様を基板１３にスクリーン印刷する。なお、基板１３に印刷される模様は、ストーン１１ａが固定される位置に塗料が塗布されないようにデザインされている。
【００３５】
次に、その模様が印刷された基板１３を熱処理し、模様（グリッター１１ｂ、ｃ）を定着させる。
そして、その基板１３上の塗料が塗布されていない部分に、ストーン１１ａ等を固定し、予め決められたデザインとなるように基板１３を装飾する。
【００３６】
最後に、予め決められたデザインの形状に切り抜く。
このような手順により装飾具１を製造する場合、周知の印刷機やプレス機等を用いて装飾具１を製造することができ、短時間の間に大量に生産することができる。
【００３７】
また、本実施形態では、装飾具１のデザインは、蝶の形状としたが、これに限るものではない。例えば、花や星等の形状であってもよい。
【図面の簡単な説明】
【００３８】
【図１】人体に貼り付けて使用する装飾具の概略を示す上面図である。
【図２】図１のＡ−Ａ断面図である。
【符号の説明】
【００３９】
１…装飾具  １１…装飾片  １１ａ…ストーン  １１ｂ、１１ｃ…グリッター  １３…基板
【図１】
0003118673.tif 000003
【図２】
0003118673.tif 000004